(57)【要約】【課題】安全かつ能率よく段ボールを切断するための用具を提供する。【解決手段】握持可能なる柄を設けるとともに、該柄の一端に略コ字形の主板端部上部を固定し、主板上部に回動可能なる回転刃を、主板下部にガイドローラーを回動可能に設け、主板上部より下方に刃部が突出して位置する該回転刃に対しガイドローラー外周を、該回転刃の刃部下端よりやや上方に水平方向に近接して位置させるとともに、主板上部下端と該ガイドローラー外周上部とを所定距離を有して設けたことを特徴とする。【選択図】図２
2012232088.tif 000002
【特許請求の範囲】
【請求項１】
握持可能なる柄を設けるとともに、該柄の一端に略コ字形の主板端部上部を固定し、主板上部に回動可能なる回転刃を、主板下部にガイドローラーを回動可能に設け、主板上部より下方に刃部が突出して位置する該回転刃に対しガイドローラー外周を、該回転刃の刃部下端よりやや上方に水平方向に近接して位置させるとともに、主板上部下端と該ガイドローラー外周上部とを所定距離を有して設けたことを特徴とする段ボールカッター。
【発明の詳細な説明】
【技術分野】
【０００１】  この発明は、安全かつ能率的に段ボールを切断するためのカッターに関する。
【背景技術】
【０００２】  従来より、カッターで段ボールを切断する作業が行われているが、いずれも露出刃部を有する市販のカッターを用いての作業であり、本発明にて示すように、一部露出の回転刃を有するカッターは現在のところ見あたらない。
【発明の開示】
【発明が解決しようとする課題】
【０００３】  段ボールは古くより多用されてきた。これは、２枚の平紙を所定間隔を持って対抗配置し、この間隔内に波形の紙を固着して形成され、主に段ボール箱として物品の輸送や保管に多用されている。また、引っ越し時にもよく用いられている。使用済みの段ボール箱は、解体して収納もしくは廃棄処分されるが、この解体時にカッターが使われる。
一般的には、柄から繰り出す刃を有するもの、柄に対する固定刃面に凹凸を設けたものなどが多く使用される。段ボールは前記の構成から所定の厚さを有するために、切断にはそれなりの力を要し、前記のカッターはいずれも刃面が露出しているため、その用法に注意が必要で、不慣れな人にとっては危険を伴う作業ともなる。
本発明は以上に鑑み、誰でも安全かつ容易に段ボールの切断作業を行うための用具を提供するべく発明され開発されたものである。
【課題を解決するための手段】
【０００４】  課題を解決する手段として本発明は以下の構成とした。
握持可能なる柄を設けるとともに、該柄の一端に略コ字形の主板端部上部を固定し、主板上部に回動可能なる回転刃を、主板下部にガイドローラーを回動可能に設け、主板上部より下方に刃部が突出して位置する該回転刃に対しガイドローラー外周を、該回転刃の刃部下端よりやや上方に水平方向に近接して位置させるとともに、主板上部下端と該ガイドローラー外周上部とを所定距離を有して設ける。
本発明は以上の構成よりなる段ボールカッターである。
【発明の効果】
【０００５】  本発明は以下の効果を有する。
１．段ボール切断の刃が外方に突出していないので、安全な切断作業を行うことができる。
２．回転刃にて切断された段ボール間を主板が通過するので、真っ直ぐに切断することが  できる。
３．段ボールに回転刃とローラーを当てて引く作業による切断のため、誰でも簡単能率的  に切断することができる。
４．回転刃は連続する先鋭突出刃にて形成されているので、連続穿孔切断となるので、比  較的小労力にて切断することができる。
【発明を実施するための最良の形態】
【０００６】  以下、本発明の実施形態について説明する。
図において、１は木製の柄で、その側面に滑り止めのための溝２が連設される。この柄は対称形の同形物２個を一組で柄としての機能が発揮される。３は金属製の正面視略コ字形の板体による主板、４は主板下部適所に回動可能に軸支される合成樹脂製円柱体によるガイドローラー、５は主板に適宜間隔を有してビス止めされる長方形板体による副板、６は主板と副板間にて軸支される両刃型の回転刃である。主板の上部端近傍には孔が穿設され、該主板は前記柄に図１のごとく挟まれて位置し、柄に設けた孔および座ぐり部を介して主板はビスとナットにて柄に固定される。
また、主板と同厚有孔の柄部スペーサー７も同様に柄に挟まれ、ビス止めされる。
つまり、柄に設けた座ぐり内にビス頭が位置し、対称位置の柄の座ぐり内にナットが位置して固定される。主板に対し副板は、その四隅近傍に孔が穿設されており、主板対応位置の孔と一致させて、ビスとナットにて副板は主板に固定されるが、有孔短円柱形の主板スペーサー８および９が主板と副板間に位置し、このスペーサーにて主板と副板は所定間隔を有して固定関係となっている。主板の上部適所に孔が穿設され、ビスとナットおよび有孔の刃用スペーサー１０を介して回転刃が回動可能に取り付けられる。
この回転刃の刃部は図４にて示すように、斜方端面刃形状に形成され、この刃側面に近接してガイドローラーが、その周面が斜方刃下端よりやや上方に位置させ、水平方向において回転刃と近接して設けられる。また、ガイドローラー外周上端位置は、通過する段ボール厚に対応するべく、回転刃の取り付いている主板上部下端位置よりやや下方である。
以上が、本発明の一実施形態である。【０００７】  本発明を使用するには、まず切断しようとする段ボールをセットし、本発明による段ボールカッターの柄を手に持ち、回転刃に対し直角になるよう段ボールを刃とガイドローラーにあてがい、手前に引く。すると回転刃とガイドローラー間の段ボールに対し、回転刃とガイドローラーはその摩擦にて回転する。回転刃の刃部は図４のごとく先鋭であるとともに斜方形状のため、段ボールにこの刃が突き刺さりながら連続的に切り裂く作用が生じ、またこの刃下端位置はガイドローラー外周上端より下方に位置するとともに、該刃とガイドローラーとは水平方向にきわめて接近して位置するために、ちょうどはさみで切断するがごとくに段ボールを切ることができる。切断された段ボールは主板の右端を境として明確に分離される。柄には既述のごとく溝が連設されて手の滑りが防止され、また柄切除による凹状部分を有して、ここに指をかけてさらに滑りが防止される。段ボールを２枚重ねで切るときなどは、柄を両手で握って引くなどして楽に切断することができる。【０００８】  以上、本発明について記したが、本発明は放射状先鋭刃を有する回転刃と、この回転刃に近接して位置するガイドローラーにて段ボールを切断するところにその特徴を有している。従来は既述のように、柄に刃が固定されたカッターでの切断のため、このカッターの刃を段ボール面に対し進行方向に傾斜させた状態を保ちつつこの刃を上下に反復動させ、かつこの刃を段ボール面に対し左右にぶれることなく直角に保持しながら切断しなければならず、それなりの力と技術とを必要とし、簡易な作業ではなく、ときには危険を伴うものであったが、本発明にてこれが解消されるものとなったのである。
なお、既述の例における回転刃は、円板外周に先鋭刃を放射状に位置させるとともに、図４のごとくこの刃を斜方に設けたので、段ボールに突き刺さるときに、段ボール面に対しより直角に近い角度にて突き刺さるため、段ボール切断効果を高めたものとなっているが、左右対称形の刃でもよい。また、主板に肉薄部１１を設けることにて、ここを段ボールが通過するときに、切断分離を完璧なものとすることができ、主板右方は所定幅となっているので、切断された段ボール間にこの主板右方部分が位置しているために、段ボール切断時本品直進性が高められる。なお、既述の例は実施の一形態であり、近似の他の構成としてもよい。以上のごとく、本発明にて安全かつ能率的に段ボールの切断作業を行うための用具を得ることができる。
【図面の簡単な説明】
【０００９】
【図１】  本発明の平面図
【図２】  本発明の正面図
【図３】  本発明の要部拡大構造説明図（平面視）
【図４】  本発明の刃部形状拡大説明図（正面視）
【符号の説明】
【００１０】  １    柄
２    溝
３    主板
４    ガイドローラー
５    副板
６    回転刃
７    柄部スペーサー
８    主板スペーサー
９    主板スペーサー
１０  刃用スペーサー
１１  肉薄部
１２  段ボール
１３  切除部
１４  主板上部
１５  主板下部
【図１】
2012232088.tif 000003
【図２】
2012232088.tif 000004
【図３】
2012232088.tif 000005
【図４】
2012232088.tif 000006